(57)【要約】【課題】構造が簡単でありながら、フットレスト部における下肢の載置と下肢に対するマッサージとの両方が行えるフットマッサージ機を提供する。【解決手段】本発明のフットマッサージ機５０は、筺状の本体５１の内部に、使用者の下肢をマッサージする下肢マッサージ機構が設けられており、本体５１の前面には、下肢マッサージ機構に下肢を挿し入れる挿入口５２が形成されており、挿入口５２の一部又は全部を被覆可能なカバー体５３が設けられていることを特徴とするものである。【選択図】図３
2015002973.tif 000002
【特許請求の範囲】
【請求項１】
筺状の本体の内部に、使用者の下肢をマッサージする下肢マッサージ機構が設けられており、
前記本体の前面には、前記下肢マッサージ機構に下肢を挿し入れる挿入口が形成されており、
前記挿入口の一部又は全部を被覆可能なカバー体が設けられていることを特徴とするフットマッサージ機。
【請求項２】
使用者が着座する座部と、前記座部に着座した使用者の下肢をマッサージする下肢マッサージ機構を内部に備えると共に、前記座部の前方に位置するフットレスト部と、を有する椅子型マッサージ機において、 
前記フットレスト部が請求項１に記載のフットマッサージ機とされていることを特徴とする椅子型マッサージ機。
【請求項３】
前記カバー体は、使用者の下肢を載置可能に構成されていることを特徴とする請求項２に記載の椅子型マッサージ機。
【請求項４】
前記カバー体は、フットレスト部に対する位置を変更可能に構成されていることを特徴とする請求項２又は３に記載の椅子型マッサージ機。
【請求項５】
前記カバー体は、当該カバー体の上部がフットレスト部に対して離反可能に構成されており、
当該カバー体の上部がフットレスト部に対して離反した状況下で、前記座部に着座した使用者の下肢を前記フットレスト部内の下肢マッサージ機構に差し入れ可能とされていることを特徴とする請求項４に記載の椅子型マッサージ機。
【請求項６】
前記カバー体がフットレスト部の上部を非被覆状態とすることで、前記座部に着座した使用者の下肢を前記フットレスト部内の下肢マッサージ機構に差し入れ可能に構成されていることを特徴とする請求項２又は３に記載の椅子型マッサージ機。
【請求項７】
前記筺状の本体は、床面に載置可能とされ、
前記カバー体は、前記本体の上部後側に取り付けられており、前記本体の上部後端側に取り付けられた一方の端縁に対して、他方の端縁が前後方向に折り返し自在とされていることを特徴とする請求項１に記載のフットマッサージ機。
【請求項８】
前記カバー体は、挿入口の一部又は全部を被覆した状態において前記本体の上部に対応する部位に、使用者の脚部又は臀部を載置可能とする載置部を有していることを特徴とする請求項１または７に記載のフットマッサージ機。
【請求項９】
前記カバー体又は本体には、後方に向かって折り返されたカバー体を固定可能な留め具が設けられていることを特徴とする請求項１、７、８のいずれかに記載のフットマッサージ機。
【発明の詳細な説明】
【技術分野】
【０００１】
本発明は、下肢をマッサージする機構を内蔵するフットマッサージ機及びこのフットマッサージ機を備えた椅子型マッサージ機に関する。
【背景技術】
【０００２】
椅子型マッサージ機としては、座部に着座した使用者の下肢をマッサージする下肢用マッサージ機構をフットレスト部の内部に備えたものが周知である。
例えば、特許文献１の椅子型マッサージ機に備えられるフットレスト部（下肢用マッサージ機）は、下肢のマッサージを行わない場合は邪魔にならないように、フットレスト部が座部の下部の収納室に収納できるようになっている。そして、下肢のマッサージを行う際に、座部の前方の使用位置にフットレスト部を引き出して、引き出されたフットレスト部に下肢を差し入れることで下肢のマッサージが行われる。
【０００３】
一方、特許文献２に開示された椅子型マッサージ機は、オットマン（フットレスト部）を有し、このオットマンは、一面側に前記使用者の脚部を挿入配置可能な脚部用凹部と、前記使用者の足部を足裏から支持可能な足部用凹部とを有している。前記脚部用凹部及び前記足部用凹部の少なくとも一方には前記マッサージ手段が設けられている。また、オットマンは、他面側に前記使用者の脚部を載置可能な脚載部を有し、オットマンを回転させることで前記各凹部を前記座部前方に露出させるマッサージ可能状態と、前記脚載部を前記座部前方に露出させる脚載可能状態とに変更可能に構成されている。
【先行技術文献】
【特許文献】
【０００４】
【特許文献１】特開２０１２−１５７４４９号公報
【特許文献２】特開２０１１−６７３５４号公報
【発明の概要】
【発明が解決しようとする課題】
【０００５】
ところで、このようなフットレスト部を座部の前方に進出させた状態においては、使用者の下肢を差し入れるための挿入凹部が、フットレスト部の前面に露出するようになる。この挿入凹部がフットレスト部の前面に露出した状態は、下肢のマッサージを希望する使用者にとっては望み通りの姿勢である。しかし、下肢のマッサージを希望しない使用者、例えば下肢を前に投げ出して背もたれをリクライニングさせ、くつろいだ姿勢にて当該椅子型マッサージ機に着座したいと考えている使用者にとっては、フットレスト部の挿入凹部が邪魔なものとなる。
【０００６】
斯かる不都合を回避するために、特許文献２では、フットレスト部における挿入凹部の裏側に脚載部を設けておき、フットレスト部を回転させることで脚載部を座部前方に露出させる構成を採用している。しかし、このようにフットレスト部を回転させる構成を採用すると、フットレスト部の支持構造が繁雑になり、コスト高になってしまうことは否めない。
【０００７】
本発明は、上記問題点に鑑みて為されたものであり、構造が簡単でありながら、下肢の載置と下肢に対するマッサージとの両方が行えるフットマッサージ機及びこのフットマッサージ機を備えた椅子型マッサージ機を提供することを目的とする。
【課題を解決するための手段】
【０００８】
前記目的を達成するため、本発明においては以下の技術的手段を講じた。
本発明のフットマッサージ機は、筺状の本体の内部に、使用者の下肢をマッサージする下肢マッサージ機構が設けられており、前記本体の前面には、前記下肢マッサージ機構に下肢を挿し入れる挿入口が形成されており、前記挿入口の一部又は全部を被覆可能なカバー体が設けられていることを特徴とする。
【０００９】
また、本発明の椅子型マッサージ機は、使用者が着座する座部と、前記座部に着座した使用者の下肢をマッサージする下肢マッサージ機構を内部に備えると共に、前記座部の前方に位置するフットレスト部と、を有する椅子型マッサージ機において、 前記フットレスト部が上記したフットマッサージ機とされていることを特徴とする。
好ましくは、上記した椅子型マッサージ機において、前記カバー体は、使用者の下肢を載置可能に構成されているとよい。
【００１０】
好ましくは、上記した椅子型マッサージ機において、前記カバー体は、フットレスト部に対する位置を変更可能に構成されているとよい。
好ましくは、上記した椅子型マッサージ機において、前記カバー体は、当該カバー体の上部がフットレスト部に対して離反可能に構成されており、当該カバー体の上部がフットレスト部に対して離反した状況下で、前記座部に着座した使用者の下肢を前記フットレスト部内の下肢マッサージ機構に差し入れ可能とされているとよい。
【００１１】
好ましくは、上記した椅子型マッサージ機において、前記カバー体がフットレスト部の上部を非被覆状態とすることで、前記座部に着座した使用者の下肢を前記フットレスト部内の下肢マッサージ機構に差し入れ可能に構成されているとよい。
また、好ましくは、上記したフットマッサージ機において、前記筺状の本体は、床面に載置可能とされ、前記カバー体は、前記本体の上部後側に取り付けられており、前記本体の上部後端側に取り付けられた一方の端縁に対して、他方の端縁が前後方向に折り返し自在とされているとよい。
【００１２】
好ましくは、上記したフットマッサージ機において、前記カバー体は、挿入口の一部又は全部を被覆した状態において前記本体の上部に対応する部位に、使用者の脚部又は臀部を載置可能とする載置部を有しているとよい。
好ましくは、上記したフットマッサージ機において、前記カバー体又は本体には、後方に向かって折り返されたカバー体を固定可能な留め具が設けられているとよい。
【発明の効果】
【００１３】
本発明のフットマッサージ機及びこのフットマッサージ機を備えた椅子型マッサージ機によれば、構造が簡単でありながら、フットレスト部における下肢の載置と下肢に対するマッサージとの両方が行える。
【図面の簡単な説明】
【００１４】
【図１】フットレスト部（フットマッサージ機）が収納位置にある場合の椅子型マッサージ機の斜視図である。
【図２】フットレスト部が使用位置にある場合の椅子型マッサージ機の斜視図である。
【図３】フットレスト部に備えられた前カバー体が閉状態であることを示す図である。
【図４】フットレスト部に備えられた前カバー体が上昇状態であることを示す図である。
【図５】フットレスト部に備えられた前カバー体が開状態であることを示す図である。
【図６】図４の状態（上昇状態）からフットレスト部に備えられた前カバー体が開状態となることを示す図である。
【図７】（ａ）はフットレスト部に備えられた前カバー体が上昇状態であることを示す図であり、（ｂ）はフットレスト部に備えられた前カバー体が上昇状態とされ、その後に開状態となることを示す図である。
【図８】（ａ）はフットレスト部に短尺の前カバー体が配備されていることを示す図であり、（ｂ）は短尺の前カバー体が上昇状態であることを示す図である。
【図９】前カバー体を前方に折り返した状態の第２実施形態のフットマッサージ機を示す斜視図である。
【図１０】前カバー体を後方に折り返した状態の第２実施形態のフットマッサージ機を示す斜視図である。
【図１１】前後方向に沿った前カバー体の折り返した動作を示した側面図であり、（ａ）が前方へ折り返された状態、（ｂ）が後方へ折り返された状態の図である。
【図１２】マッサージ動作中の第２実施形態のフットマッサージ機を示した側面図である。
【図１３】オットマンとして使用される第２実施形態のフットマッサージ機を示した側面図である。
【図１４】腰掛け用椅子として使用される第２実施形態のフットマッサージ機を示した側面図である。
【発明を実施するための形態】
【００１５】
［第１実施形態］
以下、本発明のフットマッサージ機の第１実施形態を図面に基づき説明する。
第１実施形態では、椅子型マッサージ機に設けられたフットレスト部が本発明のフットマッサージ機とされている。
本発明のフットマッサージ機がフットレスト部として採用された椅子型マッサージ機１は、使用者が着座できるように椅子形状の外観を備えており、着座した使用者に対して内蔵された下肢マッサージ機構を用いて下肢のマッサージを可能とするものである。
【００１６】
この椅子型マッサージ機１は、使用者が着座する座部２と、座部２に着座した使用者がもたれかかる背もたれ部３と、座部２に着座した使用者の両肘を支える肘かけ部４と、を有している。また、椅子型マッサージ機１にはフットレスト部５が設けられている。
このフットレスト部５は、マッサージを行わない場合は座部２の下部に設けられた収納位置に収納されているが、マッサージを行う場合はこの収納位置から前方の使用位置に移動させることができるようになっている。
【００１７】
まず、椅子型マッサージ機１を構成する座部２、背もたれ部３、肘かけ部４及びフットレスト部５について説明する。
なお、以降の説明において、図１で示される方向を椅子型マッサージ機１を説明する際の方向とする。これは椅子型マッサージ機１に着座した使用者から見た方向と一致する。また、左右方向を幅方向と表現することもある。
【００１８】
図１、図２に示すように、座部２は、水平方向（前後方向及び左右方向）に平らに広がる部材である。座部２の上部にはクッション材が設けられており、使用者が着座しやすいようになっている。
座部２の下側には、座部２を床面Ｆなどに対して支持する支持フレーム６が設けられている。この支持フレーム６は、上下方向、左右方向、前後方向を向く角材（棒材）を格子状（櫓状）に組み合わせたものであり、床面Ｆから上方に離れた位置に座部２を保持できるようになっている。
【００１９】
背もたれ部３は、座部２の後側に配備された部材である。この背もたれ部３は、使用者に面する側が座部２と同様にクッション材とされており、また内部には着座した人の肩、背中、及び／又は腰をマッサージするマッサージ機構（図示略）が内蔵されている。背もたれ部３の下端側は座部２の支持フレーム６に枢支されており、背もたれ部３はこの下端側の枢支点を中心として左右方向を向く軸回りに揺動することで起立した姿勢と、後方に倒れ込んだ（リクライニングした）姿勢との間で姿勢変更が可能となっている。
【００２０】
肘かけ部４は、座部２の左側に配備される左肘かけ部４Ｌと、座部２の右側に配備される右肘かけ部４Ｒとから構成されている。これらの肘かけ部４Ｌ、４Ｒは前後方向及び上下方向に沿って設けられた板状の部材であり、その上面は使用者が肘や腕を載せられるように前後方向に長い長方形の平坦面として形成されている。
これら左右の肘かけ部４の間であって、上述した座部２の下方の空間は、フットレスト部５を収納する収納室７となっている。
【００２１】
図３〜図６に示すように、フットレスト部５は、使用者の下肢をマッサージする下肢マッサージ機構を内蔵しており、このフットレスト部５には、当該フットレスト部５を座部２に対して支持するアーム部材９が設けられていて、座部２の下部に設けられた左右方向を向く軸（揺動軸部１０）回りにこのアーム部材９を揺動させることでフットレスト部５を上述した使用位置と収納位置との間で移動させる移動機構（図示せず）が配備されている。
【００２２】
図２に示す使用位置において、フットレスト部５の前面には、使用者の下肢を挿入可能な挿入凹部１２が左右にそれぞれ１つずつ並んで形成されている。これらの挿入凹部１２は、マッサージをする際に使用者が下肢を差し込みやすいように、いずれも図２の姿勢で前方と上方との２方向に向かって開口している。そして、フットレスト部５の内部には、挿入凹部１２に差し込まれた使用者の下肢をマッサージ可能な下肢マッサージ機構が内蔵されている。
【００２３】
フットレスト部５の背面（図２の姿勢で下方を向く面）の前端側には、床面Ｆに接触しつつ回転することでこのフットレスト部５を移動させる車輪１３が設けられている。またフットレスト部５の背面の後端側には、アーム部材９が左右方向を向く枢支軸１１回りに揺動自在に連結されている。
図３などに示すように、アーム部材９は長手方向の中途側が湾曲しており、側面視Ｃ字型の形状を有している。アーム部材９の後端側（基端側）には左右方向を向く揺動軸部１０が設けられており、アーム部材９は揺動軸部１０が設けられた後端側を中心として前端側が揺動自在となっている。
【００２４】
なお、上述したようにアーム部材９の前端側が後端側に対して揺動すると、アーム部材９の揺動に合わせてアーム部材９の前端側に連結されたフットレスト部５も移動し、上述した収納位置と使用位置との間で位置を変える。
具体的には、この収納位置は、図１に示すように、フットレスト部５が座部２の下方に形成された収納室７内に位置しており、フットレスト部５の正面が上方を向き、底面が前方向き、底面と座面の前縁が上面視で略一致する状態である。
【００２５】
また、使用位置は、図２に示すように、フットレスト部５が収納室７から出ていて、フットレスト部５の正面が前方を向き、底面が下方を向く状態（立ち上がった状態）である。
さらに、アーム部材９の後端側であって、揺動軸部１０の近傍には揺動軸部１０に回転駆動力を与えてこの揺動軸部１０を正転方向または逆転方向に切り替え自在に回動させる移動機構（図示せず）が設けられている。この移動機構としては、電動モータや電動リニアアクチュエータなどの既存の駆動機器が採用可能である。この移動機構を動作させることで、フットレスト部５を、図１に示す収納位置から、図２に示す使用位置まで、移動させることができるようになっている。
【００２６】
ところで、本実施形態のフットレスト部５は、下肢Ｌを挿入する挿入凹部１２が形成された面、言い換えれば、フットレスト部５の前面（マッサージ面）に、挿入凹部１２を覆うカバー体を有している。
このカバー体は、挿入凹部１２の開口を閉鎖できるように、フットレスト部５の前面に設けられた前カバー体２０を備えている。この前カバー体２０は、図例ではフットレスト部５の前面を全て覆うような広さとされているが、もっと面積が小さなものを前カバー体２０に採用することもできる。例えば、挿入凹部１２の開口に合わせた広さを有するものや、挿入凹部１２の開口の一部を覆う程度の広さを有するものを採用することもできる。
【００２７】
前カバー体２０は、使用者の下肢Ｌを載置しても曲がったり撓んだりしない程度の強度、剛性を備えており、表面はクッション材などで覆われていることが好ましい。
図２に示す如く、通常、前カバー体２０は、フットレスト部５の前面を全て覆った「閉状態」とされ、この閉状態においては、フットレスト部５本体と一体の状態で、座部２の下方に形成された収納室７内に収納されるようになっている（図１参照）。
【００２８】
図３は、使用位置に移動したフットレスト部５の側面図であり、前面が前カバー体２０で覆われた「閉状態」を示したものである。
この「閉状態」においては、座部２に着座した使用者は、前カバー体２０の上に下肢Ｌを載置することができ、リラックスした姿勢をとることが可能となる。更にリラックスした姿勢をとりたいと所望する場合は、前カバー体２０を上昇状態とするとよい。
【００２９】
すなわち、図４に示すように、前カバー体２０の上部の位置を殆ど変えずに、前カバー体２０の下部を上方へ上昇させる（前カバー体２０の下部をフットレスト部５から離反させる）ようにする。そうすると、前カバー体２０の上部に対して前カバー体２０の下部が上方に向かって揺動し、やがて前カバー体２０が水平方向を向くようになる。そうすると、前カバー体２０の上面（上昇前における前面）が略水平となり、使用者は、略水平となった前カバー体２０の上面に下肢Ｌを載置することで、よりリラックスした姿勢をとることが可能となる。
【００３０】
なお、フットレスト部５に対する前カバー体２０の取り付け機構としては、上述したもの以外にも様々な方法が採用可能である。例えば、枢支軸を用いた回動機構やリンク機構を用いた機構が採用可能である。また、回動機構やリンク機構を駆動する駆動手段にも様々なものが採用可能である。例えば、回動機構やリンク機構を電動モータを用いて駆動したり、カム機構を用いて駆動したりすることもできる。また、手動により前カバー体２０を移動させてもよい。さらには、アーム部材９の前後揺動の動きに連動する連動機構を設け、この連動機構の動きにより、前カバー体２０の下部を上方へ上昇させるようにしてもよい。
【００３１】
一方で、図４のように、前カバー体２０がフットレスト部５から離反して略水平となった状態で、フットレスト部５を収納状態にしようとすると、前カバー体２０が座部２などと干渉してフットレスト部５の収納が困難になる。斯かる不都合を解消するために、フットレスト部５や前カバー体２０に検知センサなどを配置しておき、前カバー体２０が図３の状態（カバー状態）でない場合には、フットレスト部５が収納位置へと移動しないように規制するとよい。
【００３２】
一方、図３に示すように、フットレスト部５を座部２の前面に進出させた状態において、使用者が下肢Ｌのマッサージを所望したとする。このような場合には、前カバー体２０を移動させて挿入凹部１２の開口を開放し、下肢マッサージ機構が内蔵された挿入凹部１２に下肢Ｌを挿入できるようにする。
具体的には、図５に示すように、前カバー体２０の下部の位置を変えないまま、前カバー体２０の上部を前方へ移動させ（前カバー体２０の上部をフットレスト部５から離反させ）、前カバー体２０の下部に対して上部を後側上方に倒したような「閉状態」から、前側に倒したような「開状態」に変化させる。このような「開状態」とすれば、フットレスト部５の挿入凹部１２に対して、使用者は下肢Ｌを上方から差し入れることが可能となり、下肢Ｌマッサージを確実に行うことができるようになる。
【００３３】
また、この前カバー体２０は、下肢Ｌマッサージ中には、使用者の下肢Ｌから腰部を覆う「目隠し板」として作用し、他人の目を気にすることなく下肢のマッサージを受けることが可能となり、使用者が気軽にマッサージを受けられる椅子型マッサージ機１を実現できることとなる。
また、図６に示すように、上面に下肢Ｌが載置可能となるように、前カバー体２０の下部が上昇した前カバー体２０に関し、その上部をさらに上方へ上昇させることもできる。
【００３４】
すなわち、図４に示す前カバー体２０では、前カバー体２０の上部をフットレスト部５に沿わせたまま、前カバー体２０の下部がフットレスト部５から離反し、前カバー体２０が水平を向くまで揺動している。この状態において、前カバー体２０の下部を固定したまま、前カバー体２０の上部を前方へ移動させる。そうすると、図６に示すように挿入凹部１２が上方に向かって開放状態となり、フットレスト部５の挿入凹部１２に対して、使用者の下肢Ｌを上方から差し入れることが可能となり、下肢Ｌマッサージを確実に行うことが可能となる。
【００３５】
なお、図５、図６のように前カバー体２０を移動させる機構としては、例えば、枢支軸を用いた回動機構やリンク機構を用いた機構が採用可能である。また、回動機構やリンク機構を駆動する駆動手段にも様々なものが採用可能である。例えば、回動機構やリンク機構を電動モータを用いて駆動したり、カム機構を用いて駆動したりすることもできる。また、手動により前カバー体２０を移動させてもよい。さらには、アーム部材９の前後揺動の動きに連動する連動機構を設け、この連動機構の動きにより、前カバー体２０の下部を上方へ上昇させるようにしてもよい。
【００３６】
一方で、図５、図６のように、前カバー体２０がフットレスト部５から離反した状態で、フットレスト部５を収納状態にしようとすると、前カバー体２０が座部２などと干渉してフットレスト部５の収納が困難になる。斯かる不都合を解消するために、フットレスト部５や前カバー体２０に検知センサなどを配置しておき、前カバー体２０が図３の状態（カバー状態）でない場合には、フットレスト部５が収納位置へと移動しないように規制するとよい。
［変形例１］
図７（ａ）は、前カバー体２０がフットレスト部５の前面を全て覆った閉状態から、前カバー体２０が上昇状態へと移動する様子を示したものである。
【００３７】
図７（ａ）の場合、前カバー体２０を上昇状態とするにあたっては、前カバー体２０の下部を大きく上方へ上昇させると共に、前カバー体２０の上部も下部より小さい上昇量で上昇させるようにしている。このようにすることで、瞬時に、前カバー体２０の上面（上昇前における前面）を緩やかな傾斜乃至は略水平とすることができ、使用者は、略水平となった前カバー体２０に下肢Ｌを載置することで、よりリラックスした姿勢をとることが可能となる。
【００３８】
図７（ｂ）は、上昇状態とされた前カバー体２０を開状態へと移動させた状況を示したものである。
すなわち、図７（ａ）の如く上昇状態にある前カバー体２０に対し、前カバー体２０の上部を更に前方へ移動させ、前カバー体２０を更に前側に倒したような「開状態」とする。この開状態とすることで、フットレスト部５の挿入凹部１２に対して、使用者の下肢Ｌを差し入れることが可能となり、下肢Ｌマッサージを確実に行うことが可能となる。
【００３９】
図７（ａ）、図７（ｂ）のように前カバー体２０を移動させる機構としては、様々な方法が採用可能である。枢支軸を用いた回動機構やリンク機構を用いた機構が採用可能である。これらの機構を電動モータ等の駆動機構で駆動してもよく、使用者が手動で動かすようにしてもよい。さらには、アーム部材９の前後揺動の動きに連動する連動機構を設け、この連動機構の動きにより、前カバー体２０を移動させるようにしてもよい。
【００４０】
一方で、図７（ａ）、（ｂ）のように、前カバー体２０がフットレスト部５から離反した状態で、フットレスト部５を収納状態にすると、例えば、前カバー体２０が座部２などと干渉するようになる。斯かる不都合を解消するために、フットレスト部５や前カバー体２０に検知センサなどを配置しておき、前カバー体２０が図３の状態（カバー状態）でない場合には、フットレスト部５が収納位置へと移動しないように規制するとよい。
［変形例２］
図８（ａ）は、前カバー体２０が短尺とされた例である。すなわち、前カバー体２０がフットレスト部５の上下高さより短尺とされていて、フットレスト部５の上部を覆っていない状態となっているものである。
【００４１】
前カバー体２０が覆っていないフットレスト部５の上部には、挿入凹部１２の上部が外部に露出するようになっている。つまり、挿入凹部１２の上部は、前カバー体２０により覆われていない。そのため、下肢マッサージを所望する使用者は、前カバー体２０で覆われていないフットレスト部５の上部から、挿入凹部１２内に下肢Ｌ（下肢Ｌ’）を差し入れることで、快適に下肢マッサージを行うことができるようになる。また、下肢Ｌをフットレスト部５に預けたいと思う使用者は、前述の例と同様に、前カバー体２０の上面に下肢Ｌを載置し、リラックスした姿勢をとることが可能となる。
【００４２】
図８（ａ）の前カバー体２０は、フットレスト部５の前面に一体状態で設けられているが、図８（ｂ）のように、短尺の前カバー体２０がフットレスト部５の前面を覆った閉状態から、前カバー体２０が上昇可能な構成とすることもできる。その場合でも、下肢マッサージを所望する使用者は、前カバー体２０で覆われていないフットレスト部５の上部から、挿入凹部１２内に下肢Ｌ（下肢Ｌ’）を差し入れることで、快適に下肢マッサージを行うことができる。
【００４３】
図８（ｂ）のように前カバー体２０を移動させる機構としては、様々な方法が採用可能である。枢支軸を用いた回動機構やリンク機構を用いた機構が採用可能である。これらの機構を電動モータ等の駆動機構で駆動してもよく、使用者が手動で動かすようにしてもよい。さらには、アーム部材９の前後揺動の動きに連動する連動機構を設け、この連動機構の動きにより、前カバー体２０を移動させるようにしてもよい。
【００４４】
一方で、図８（ｂ）のように、前カバー体２０がフットレスト部５から離反した状態で、フットレスト部５を収納状態にすると、例えば、前カバー体２０が座部２などと干渉するようになる。斯かる不都合を解消するために、フットレスト部５や前カバー体２０に検知センサなどを配置しておき、前カバー体２０が図８（ｂ）の場合には、フットレスト部５が収納位置へと移動しないように規制するとよい。
【００４５】
以上述べたように、フットレスト部の前面に配備された前カバー体２０を、閉状態、開状態、上昇状態とすることで、構造が簡単で軽量化が可能なものでありながら、フットレスト部５における下肢Ｌの載置と下肢Ｌに対するマッサージとの両方が行えるようになる。
［第２実施形態］
次に、本発明のフットマッサージ機の実施形態を図面に基づき説明する。
【００４６】
前述した第１実施形態では、本発明のフットマッサージ機５０がフットレスト部５として設けられた椅子型マッサージ機１の例を挙げて本発明を説明したが、第２実施形態では、本発明のフットマッサージ機５０が単独で使用された例を挙げて本発明を説明する。
具体的には、第２実施形態のフットマッサージ機５０は、床面Ｆに載置可能とされた筺状の本体５１を有している。この本体は、床面Ｆなどに載置しやすいように底面が平坦な面状に形成されており、側面視で角が丸まった四角形状に形成されている。この本体５１の内部には、上述した第１実施形態のフットレスト部５と同様に、使用者の下肢をマッサージする下肢マッサージ機構が設けられている。
【００４７】
なお、第２実施形態のフットマッサージ機５０には第１実施形態とは異なりアーム部材９は設けられておらず、フットマッサージ機５０は椅子型マッサージ機と切り離した状態で使用できるようになっている。
つまり、第２実施形態のフットマッサージ機５０は、単独で使用者の脚部をマッサージするフットマッサージ機としても使用されるものである。以降では、使用者が、マッサージ機能を有さない普通の椅子に着座して使用する場合を例に挙げて、本発明のフットマッサージ機を説明する。
【００４８】
上述したフットマッサージ機５０の本体５１の前面には、第１実施形態のフットレスト部５と同様に使用者の下肢を挿入可能な挿入凹部１２が左右にそれぞれ１つずつ並んで形成されている。これらの挿入凹部１２は、マッサージをする際に椅子に着座した使用者が下肢を差し込みやすいように、フットレスト部５と同様に前方と上方との２方向に向かって開口していて、この挿入凹部１２の開口が下肢マッサージ機構に下肢を挿し入れる挿入口５２とされている。そして、第２実施形態のフットマッサージ機５０は、本体５１に、この挿入口５２を被覆可能なカバー体５３（第１実施形態の前カバー体２０に対応する）が設けられていることを特徴としている。
【００４９】
上述したカバー体５３は、合成皮膜や合成樹脂のような可撓性がある材料でシート状に形成された部材であり、前後方向に自由に折り曲げ可能に本体５１に取り付けられている。具体的には、このカバー体５３は、前後方向に沿って配備された方形状のシートで形成されており、後端縁（一方の端縁）を本体５１の上部後側にファスナーなどを用いて着脱自在に取り付けられている。カバー体５３の前端縁（他方の端縁）は、本体５１には取り付けられておらずフリーの状態であって、前後方向に折り返し自在とされている。
【００５０】
また、カバー体５３は、前後方向に沿った長さが、本体５１の上部後側から本体５１の前面を通って本体５１の下部前端に至る外面の長さと略等しくされており、前方に折り返した場合には、上述した挿入口５２の一部又は全部を被覆可能となっている。なお、カバー体５３を挿入口５２より長尺に形成しておき、挿入口５２の全面を覆っても良いし、カバー体５３を短尺に形成しておき、挿入口５２の上部のみを覆うようにしてもよい。
【００５１】
さらに、前方に折り返した状態におけるカバー体５３の上面（カバー体５３の折り返し端の近傍）には、使用者が脚部を載せやすいようにクッション材などを用いて形成された載置部５４が形成されている。この載置部５４は、左右方向に長尺とされたクッション材を、前後方向に距離をあけて取り付けた構造とされており、カバー体５３の前後方向に沿った折り曲げに支障がないように形成されている。
【００５２】
なお、上述したカバー体５３は、後方に折り返した状態でさらに前後方向の中央から２枚に折り畳んで本体５１に固定できるようになっている。具体的には、後方に折り返した状態におけるカバー体５３の上面には、このカバー体５３を折り畳んだ状態で本体５１に固定する留め具５５が設けられている。この留め具５５は、本実施形態の場合は、本体５１の後面とカバー体５３の表面とに貼り付けられた１組の面ファスナーで構成されている。つまり、本体５１に設けられた一方の面ファスナーを、カバー体５３に設けられたもう一方の面ファスナーに貼着すれば、カバー体５３を折り畳んだ状態で本体５１に固定することができる。なお、この留め具５５としては、フックなどのような部材やひもなどを用いることもできる。
【００５３】
次に、上述した第２実施形態のフットマッサージ機の使用方法、特にカバー体５３の使用方法について説明する。
例えば、図１１（ａ）に示すように、本体５１の上部後側に固定された一方の端縁よりも、他方の端縁が後方に位置するようにカバー体５３を後方に折り返す（倒す）。そうすると、図１２に示すように、カバー体５３により被覆されていた挿入凹部１２の挿入口５２が開口状態となり、挿入口５２から使用者の脚部を差し込むことが可能となり、使用者の脚部をマッサージすることが可能となる。つまり、第２実施形態のフットマッサージ機は、「使用者の下肢をマッサージするマッサージ機」として使用することが可能となっている。
【００５４】
また、図１１（ａ）に示す如く、上述したように後方に折り返されたカバー体５３は、前後方向の中途側から二重に折り畳めるようになっている。そして、上述した留め具５５を用いて二重に折り畳んだカバー体５３を本体５１に固定すれば、後方に折り返したカバー体５３がマッサージを受ける使用者の邪魔になることもない。
一方、図１１（ｂ）に示すように、本体５１の上部後側に固定された一方の端縁よりも、他方の端縁が前方に位置するようにカバー体５３を前方に折り返す（倒す）。そうすると、カバー体５３が、本体５１の上部後側から本体５１の前面を通って本体５１の下部前端に至る本体５１の外面をすべて被覆し、挿入凹部１２の挿入口５２をカバー体５３で覆うことができる。このとき、前方に向かって折り返されたカバー体５３の上面には、上述したようにクッション材などを用いて形成された載置部５４が設けられている。
【００５５】
そのため、図１３に示すように使用者は自らの脚部、特に脹ら脛の下側を載置部５４の上に載せるようにして、リラックスした姿勢で着座することが可能となる。つまり、第２実施形態のフットマッサージ機は、「オットマン」として使用することが可能となっている。
なお、上述した載置部５４は、使用者が着座して臀部を下ろす際にも利用することができる。つまり、図１４に示すように使用者は自らの臀部を載置部５４の上に載せるようにして腰掛けることもでき、「腰掛け用椅子」として使用することも可能となっている。
【００５６】
なお、今回開示された実施形態はすべての点で例示であって制限的なものではないと考えられるべきである。
特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００５７】
例えば、本実施形態では、使用状態にあるフットレスト部５は、床面Ｆに車輪１３を介して接地しているものであったが、使用状態においてフットレスト部５が床面Ｆから上昇するものであっても、本発明の技術は適用可能である。
また、フットレスト部５が、使用者の脚部を挿入可能な脚部挿入部と、使用者の足部を挿入可能な足部挿入部とに分割されていて、脚部挿入部に対して足部挿入部を近接離反可能に構成されたものであっても、本発明の技術は適用可能である。
【符号の説明】
【００５８】
１    椅子型マッサージ機
２    座部
３    背もたれ部
４    肘かけ部
４Ｌ  左肘かけ部
４Ｒ  右肘かけ部
５    フットレスト部
６    支持フレーム
７    収納室
９    アーム部材
１０    揺動軸部
１１    枢支軸
１２    挿入凹部
１３    車輪
２０    前カバー体
５０    フットマッサージ機
５１    本体
５２    挿入口
５３    カバー体
５４    載置部
５５    留め具
Ｆ    床面
Ｌ    下肢
【図１】
2015002973.tif 000003
【図２】
2015002973.tif 000004
【図３】
2015002973.tif 000005
【図４】
2015002973.tif 000006
【図５】
2015002973.tif 000007
【図６】
2015002973.tif 000008
【図７】
2015002973.tif 000009
【図８】
2015002973.tif 000010
【図９】
2015002973.tif 000011
【図１０】
2015002973.tif 000012
【図１１】
2015002973.tif 000013
【図１２】
2015002973.tif 000014
【図１３】
2015002973.tif 000015
【図１４】
2015002973.tif 000016